(57)【要約】      （修正有）【課題】自ら脚を自由に動かすことができない場合や脚の動きが制限される場合の脚の移動を助けるために、装置設置のためのスペースを取らず、装置設置にかかる労力を省き、容易、簡便に用いることのできる、脚の移動用補助具を提供する。【解決手段】脚の移動用補助具を、帯状又はベルト状の本体部１と、前記本体部の一端側に設けられ、前記本体部の一端側を脚の第一の位置に固定するための面ファスナー等の固定手段を有する第一固定部２と、前記本体部の他の一端側に設けられ、前記本体部の他の一端側を脚の第二の位置に固定するための固定手段を有する第二固定部３とから構成する。【選択図】図３
0003166481.tif 000002
【実用新案登録請求の範囲】
【請求項１】
縦長状の本体部と、
前記本体部の一端側に設けられ、前記本体部の一端側を脚の第一の位置に固定するための固定手段を有する第一固定部と、
前記本体部の他の一端側に設けられ、前記本体部の他の一端側を脚の第二の位置に固定するための固定手段を有する第二固定部と、
から成ることを特徴とする脚の移動用補助具。
【請求項２】
前記第一固定部及び前記第二固定部が、バンド状である請求項１に記載の脚の移動用補助具。
【請求項３】
前記第一固定部及び前記第二固定部の前記固定手段が、面ファスナーである請求項１又は２に記載の脚の移動用補助具。
【請求項４】
前記第一固定部及び前記第二固定部の前記固定手段が、ワンタッチ式の留具である請求項１又は２に記載の脚の移動用補助具。
【請求項５】
前記第一固定部及び前記第二固定部の前記固定手段が、挿通孔を有するアジャスター留具である請求項１又は２に記載の脚の移動用補助具。
【請求項６】
前記本体部に長さを調節できる長さ調節手段を設けた請求項１〜５のいずれか一項に記載の脚の移動用補助具。
【請求項７】
前記長さ調節手段が、面ファスナーである請求項６に記載の脚の移動用補助具。
【請求項８】
前記長さ調節手段が、ワンタッチ式の留具である請求項６に記載の脚の移動用補助具。
【請求項９】
前記長さ調節手段が、挿通孔を有するアジャスター留具である請求項６に記載の脚の移動用補助具。
【考案の詳細な説明】
【技術分野】
【０００１】
本考案は、脚の自由が利きにくい高齢者や、脚に怪我をしたり、脚にギプスを装着したりする場合など、自ら脚を自由に動かすことができなかったり、脚の動きが制限される場合に、脚の移動を助けるために用いることのできる脚の移動用補助具に関する。
【背景技術】
【０００２】
身体の全部又は一部を自由に動かせない場合、その動きを補助するための道具が必要となる。従来より、そのための装置について各種の提案がなされている。
【０００３】
例えば、特許文献１には、電動により自動昇降可能な介護用ベッドベッドの昇降により、移送部材に懸架されたハンガー状の患者吊り具に載せた患者をベッド上で昇降可能にした患者移送装置が記載されている。
【０００４】
また、特許文献２には、要介護者をベッドに寝させたまま足を洗う介護用補助足置きが記載されている。
【０００５】
しかしながら、これらを含め、この種の従来の装置はサイズが大型になりがちで設置スペースに苦慮することが多く、設置のための労力も多大なものが必要であった。また、装置の導入にはコストがかかり、容易・簡便に導入することができなかった。
【０００６】
さらに、全身ではなく脚のみを自由に動かせないような場合、従来の装置では必ずしも適切に対応することができない。例えば、高齢者の中には、脚の自由が利きにくくなっているものの、他の身体的部位はあまり問題なく動かせるという者も多い。また、脚に怪我をしたり、脚にギプスを装着したりした場合、自ら脚を自由に動かすことが容易でなくなるが、両手を動かすことは自由にできたり、横になった状態から体を起こすことは可能であったりすることは少なくない。これらの場合、脚の動きを助けることが必要であり且つそれで十分であるが、これまでの装置ではかかるニーズに端的に応えることが困難である。
【０００７】
従来、自ら脚を自由に動かすことができなかったり、脚の動きが制限される場合に、脚の移動を助けるために容易且つ簡便に用いることのできる低コストの脚の移動用補助具は存在しなかった。
【先行技術文献】
【特許文献】
【０００８】
【特許文献１】特開２０１０−１７２６３０公報
【特許文献２】特開２００９−１９５６５８公報
【考案の概要】
【考案が解決しようとする課題】
【０００９】
本考案は上記観点に鑑みてなされたものである。すなわち、本考案の主たる目的は、例えば脚の自由が利きにくい高齢者が、ベッドに腰掛けた状態からベッドの上に脚を引き上げるのを補助するなど、自ら脚を自由に動かすことができなかったり、脚の動きが制限される場合に、脚の移動を助けるために、装置設置のためのスペースを取らず、装置設置にかかる労力を省き、容易、簡便に用いることのできる脚の移動用補助具を提供することである。
【００１０】
本考案の更なる目的は、脚への着脱が容易な脚の移動用補助具を提供することである。
【００１１】
本考案の更なる目的は、脚の移動を助けるための脚の移動用補助具を低コストで実現することである。
【課題を解決するための手段】
【００１２】
上記課題を解決するため、本考案の第一の側面によれば、脚の移動用補助具は、縦長状の本体部と、前記本体部の一端側に設けられ、前記本体部の一端側を脚の第一の位置に固定するための固定手段を有する第一固定部と、前記本体部の他の一端側に設けられ、前記本体部の他の一端側を脚の第二の位置に固定するための固定手段を有する第二固定部と、から構成される。
【００１３】
本考案の第二の側面によれば、前記第一固定部及び前記第二固定部が、バンド状に構成される。
【００１４】
本考案の第三の側面によれば、前記第一固定部及び前記第二固定部の前記固定手段が、面ファスナーにより構成される。
【００１５】
本考案の第四の側面によれば、前記第一固定部及び前記第二固定部の前記固定手段が、ワンタッチ式の留具により構成される。
【００１６】
本考案の第五の側面によれば、前記第一固定部及び前記第二固定部の前記固定手段が、挿通孔を有するアジャスター留具により構成される。
【００１７】
本考案の第六の側面によれば、前記本体部に長さを調節できる長さ調節手段が設けられるように構成される。
【００１８】
本考案の第七の側面によれば、前記長さ調節手段が、面ファスナーにより構成される。
【００１９】
本考案の第八の側面によれば、前記長さ調節手段が、ワンタッチ式の留具により構成される。
【００２０】
本考案の第九の側面によれば、前記長さ調節手段が、挿通孔を有するアジャスター留具により構成される。
【考案の効果】
【００２１】
本考案によれば、装置設置のためのスペースを取らず、装置設置にかかる労力を省きながら、脚の移動を容易、簡便に補助することが可能となる。
【図面の簡単な説明】
【００２２】
【図１】本考案の一実施形態の構成を示す図である。
【図２】考案にかかる脚の移動用補助具の第一及び第二固定部において、固定手段を面ファスナーとした場合の一例を、展開図により示したものである。
【図３】考案にかかる脚の移動用補助具を脚に装着した状態の一例を示す図である。
【図４】考案にかかる脚の移動用補助具の本体部に、長さ調節手段としてワンタッチ式の留具を設けた場合の一例を示す図である。
【図５】考案にかかる脚の移動用補助具の本体部に、長さ調節手段として挿通孔を有するアジャスター留具を設けた場合の一例を示す図である。
【考案を実施するための形態】
【００２３】
以下、この考案にかかる脚の移動用補助具を実施するための最良の形態を、図面に基づいて説明する。
【００２４】
図１は、本考案にかかる脚の移動用補助具の一例を示す。図1に示されるとおり、この脚の移動用補助具は、本体部１、第一固定部２、第二固定部３から構成される。
【００２５】
本体部１は縦長の形状、より具体的には、帯状ないしベルト状からなる。本考案にかかる補助具を脚に装着したとき、本体部１は脚の長手方向に沿ってある程度の長さを有することとなる。素材は、装着感を向上するためには布が好適であるが、合成樹脂や革などでもよい。
【００２６】
第一固定部２及び第二固定部３は、本考案にかかる補助具を脚に固定するための部分である。第一固定部２は、本体部１の一端側に設けられ、本体部１の一端側を脚の任意の第一の位置に固定するための部分である。脚の第一の位置としては、例えば膝上や、大腿部などが挙げられる。第二固定部３は、本体部１の他の一端側に設けられ、本体部１の他の一端側を脚の任意の第二の位置に固定するための部分である。脚の第二の位置としては、例えば足首や脛などが挙げられる。
【００２７】
第一固定部２は、本体部１の一端側を脚の第一の位置に固定するための固定手段を有する。第二固定部３は、本体部の他の一端側を脚の第二の位置に固定するための固定手段を有する。
【００２８】
第一固定部２及び第二固定部３の固定手段は、当該補助具の脚への着脱が容易であると共に、固定時において、当該補助具を用いて脚を移動させる際に補助具が脚から外れない程度の強度で補助具を脚に固定できるものであることを要する。なお、重量が嵩まないように構成する。
【００２９】
固定手段の一例を、図２に示す。図２は、固定手段を面ファスナーとした場合の一例である。これによれば、着脱が容易となるのみならず、各人の脚のサイズに合わせて装着具合を調整するのが容易となる。
【００３０】
固定手段は、ワンタッチ式、挿通孔を有するアジャスター留具、孔で留めるベルト方式の留具などにすることができる。ワンタッチ式留具の例としては、後述の本体部１の長さを調節するための留具（図４参照）と同様の構成とすることが挙げられる。挿通孔を有するアジャスター留具の例としては、後述の本体部１の長さを調節するための留具（図５参照）と同様の構成とすることが挙げられる。固定手段をこのように構成すれば、長さの調節も可能となる。留具の素材は、金属製、プラスチック製その他様々なものが考えられる。これらの留具は、いずれも、当該補助具の脚への着脱が容易であると共に、固定時において、当該補助具を用いて脚を移動させる際に補助具が脚から外れない程度の強度で補助具を脚に固定できる。また、第一固定部２及び第二固定部３の長さを調整できるようにすれば、各人の脚のサイズに合わせて装着具合を調整することが容易となる。
【００３１】
図３は、本考案にかかる脚の移動用補助具を脚に装着した状態の一例を示す。図３において、第一固定部２は、その固定手段によって、大腿部（脚の第一の位置）に固定されている。同様に、第二固定部３は、その固定手段によって、足首（脚の第二の位置）に固定されている。これにより、当該補助具は、本体部１が脚の長手方向に沿うようにして脚に固定されることとなる。固定する際、本体部１を手で掴み易い箇所に位置するように調整する。
【００３２】
脚を任意の方向に動かしたい場合、本体部１を手で掴み所望の方向に移動させることにより、脚の移動をスムーズに行うことが可能となる。
【００３３】
これによれば、例えば、脚の自由が利きにくい高齢者が脚に本考案にかかる補助具を装着しておけば、ベッドに腰掛けた状態からベッドの上に脚を引き上げたいとき、本体部１を手で掴んでこれを引き上げることにより、脚をベッドの上にスムーズに引き上げることができる。
【００３４】
さらに、本体部１に長さの調節を可能とする長さ調節手段を設けることができる。長さ調節手段は、単に長さの調節を容易とするだけでなく、調節・決定した状態で長さを保てるものであることを要する。
【００３５】
長さ調節手段の一例として、ワンタッチ式の留具を用いたものを図４に示す。これは、留具の側面のボタンを押すことにより留具を解除でき、また本体部１の余剰部分を調整することで本体部１の長さを調節し、固定部材を用いて調節・決定した長さを固定するものである。
【００３６】
長さ調節手段の他の例として、挿通孔を有するアジャスター留具を用いたものを図５に示す。この留具においては、挿通孔において本体部１の長さを調節し、調節・決定した長さを固定する。
【００３７】
長さ調節手段の素材は、金属製、プラスチック製その他様々なものが考えられる。なお、面ファスナーの面積を広く取ったり、接着性を高くするなど、固定時に容易に外れないように構成すれば、図２で示したような固定手段についての面ファスナーを、当該長さ調整手段として用いることもできる。
【００３８】
本体部１に長さ調節手段を設ければ、該補助具を使用する者の脚の長さに応じ、より一層快適な装着が図れることになる。
【００３９】
本明細書記載の実施形態は一例に過ぎず、本考案はこれのみに限定されるものではない。
【産業上の利用可能性】
【００４０】
本考案によれば、脚の自由が利きにくくなってきている高齢者や、脚に怪我をしたり、脚にギプスを装着したりする場合等、自ら脚を自由に動かすことができなかったり、脚の動きが制限される場合に、脚の移動を助ける補助具を安価且つ簡便に提供できる。また、本考案に係る補助具は構造もシンプルで使用も容易であり、複雑な操作を必要とせず、着脱も容易であり、装着したままでも邪魔になることが無く、高齢者や怪我人等による扱いにも適している。このように、本考案の産業上の利用可能性は極めて高い。
【符号の説明】
【００４１】
１：  本体部
２：  第一固定部
３：  第二固定部
【図１】
0003166481.tif 000003
【図２】
0003166481.tif 000004
【図３】
0003166481.tif 000005
【図４】
0003166481.tif 000006
【図５】
0003166481.tif 000007
【手続補正書】
【提出日】平成22年12月1日(2010.12.1)
【手続補正１】
【補正対象書類名】明細書
【補正対象項目名】００１２
【補正方法】変更
【補正の内容】
【００１２】
上記課題を解決するため、本考案の第一の側面によれば、脚の移動用補助具は、帯状又はベルト状の本体部と、前記本体部の一端側に設けられ、前記本体部の一端側を脚の第一の位置に固定するための固定手段を有する第一固定部と、前記本体部の他の一端側に設けられ、前記本体部の他の一端側を脚の第二の位置に固定するための固定手段を有する第二固定部と、から構成される。
【手続補正２】
【補正対象書類名】実用新案登録請求の範囲
【補正対象項目名】請求項１
【補正方法】変更
【補正の内容】
【請求項１】
帯状又はベルト状の本体部と、
前記本体部の一端側に設けられ、前記本体部の一端側を脚の第一の位置に固定するための固定手段を有する第一固定部と、
前記本体部の他の一端側に設けられ、前記本体部の他の一端側を脚の第二の位置に固定するための固定手段を有する第二固定部と、
から成ることを特徴とする脚の移動用補助具。